(57)【要約】  本発明は、中央処理装置と、表示モジュールと、前記表示モジュールにより前記中央処理装置と通信接続されている二つのディスプレイと、それぞれ前記中央処理装置と通信接続されているＩ／Ｏインタフェースと記憶手段と、を備え、前記表示モジュールと前記中央処理装置がいずれも二つあり、且つ、各前記ディスプレイがそれぞれ一つの前記表示モジュールにより一つの前記中央処理装置と通信接続されており、二つの前記中央処理装置の間が直接に通信接続されており、二つの前記ディスプレイがそれぞれ電子ペーパーと液晶スクリーンであるデュアルディスプレイタッチパネルモニタデュアルコア（ＣＰＵ）電子カバンを開示する。本発明のネットワーク構造用の軟性向上方法を採用したので、マルチメディア機能を支持するとともに外部ネットワーク又はサーバーの資源を便利で有効的に取得できる電子カバンを実現し、且つ、前記電子カバンは、双方向性が強く、資源取得が便利である特徴を有する。【選択図】        なし
2015504201.tif 000002
【特許請求の範囲】
【請求項１】
中央処理装置と、表示モジュールと、前記表示モジュールにより前記中央処理装置と通信接続されている二つのディスプレイと、それぞれ前記中央処理装置と通信接続されているＩ／Ｏインタフェースと記憶手段とを備えるデュアルディスプレイタッチパネルモニタデュアルコア（ＣＰＵ）電子カバンにおいて、前記表示モジュールと前記中央処理装置はいずれも二つあり、且つ、各前記ディスプレイはそれぞれ一つの前記表示モジュールにより一つの前記中央処理装置と通信接続されており、二つの前記中央処理装置の間は直接に通信接続されており、二つの前記ディスプレイはそれぞれ電子ペーパーと液晶スクリーンであることを特徴とするデュアルディスプレイタッチパネルモニタデュアルコア（ＣＰＵ）電子カバン。
【請求項２】
前記電子ペーパーはエレクトロニックインク（Ｅｉｎｋ）ディスプレイ（ＥＰＤ）を採用し、前記液晶スクリーンは薄膜トランジスタディスプレイ（ＴＦＴ）又は有機エレクトロルミネッセンスディスプレイ（ＯＬＥＤ）を採用することを特徴とする請求項１記載のデュアルディスプレイタッチパネルモニタデュアルコア（ＣＰＵ）電子カバン。
【請求項３】
それぞれ前記電子ペーパーと前記液晶スクリーンの表面に固定されるとともに、対応する前記中央処理装置とそれぞれ通信接続されている二つのタッチパネルモニタを更に備えることを特徴とする請求項１又は２記載のデュアルディスプレイタッチパネルモニタデュアルコア（ＣＰＵ）電子カバン。
【請求項４】
外部クラウドサーバーと通信接続されているとともに、二つの前記中央処理装置と通信接続されているネットワーク装置を更に備えることを特徴とする請求項３記載のデュアルディスプレイタッチパネルモニタデュアルコア（ＣＰＵ）電子カバン。
【請求項５】
前記ネットワーク装置は内部ローカルエリアネットワークサーバーに通信接続されているとともに、前記内部ローカルエリアネットワークサーバーにより外部クラウドサーバーと通信接続されていることを特徴とする請求項４記載のデュアルディスプレイタッチパネルモニタデュアルコア（ＣＰＵ）電子カバン。
【請求項６】
二つの前記中央処理装置と通信接続されている音声データ通信モジュールを更に備えることを特徴とする請求項５記載のデュアルディスプレイタッチパネルモニタデュアルコア（ＣＰＵ）電子カバン。
【請求項７】
二つの前記中央処理装置と通信接続されているカメラを更に備えることを特徴とする請求項６記載のデュアルディスプレイタッチパネルモニタデュアルコア（ＣＰＵ）電子カバン。
【請求項８】
二つの前記中央処理装置と通信接続されているネットワーク電話モジュールを更に備えることを特徴とする請求項７記載のデュアルディスプレイタッチパネルモニタデュアルコア（ＣＰＵ）電子カバン。
【発明の詳細な説明】
【技術分野】
【０００１】
本発明は電子カバンに関し、特にデュアルディスプレイタッチパネルモニタデュアルコア（ＣＰＵ）電子カバンに関する。
【背景技術】
【０００２】
従来の電子カバンは主に単一ディスプレイの液晶ディスプレイのフラットパネルコンピュータ又はノートパソコンを採用し、長時間読むと、視力に大きな影響を与え、或いは、単一ディスプレイのＥｉｎｋ電子ペーパーの電子書籍を採用し、電子ペーパー技術は一般的に白黒表示であり、マルチメディアとリッチメディアの機能を支持できず、同時に、単一ディスプレイの電子カバンの設計は、電子カバンにおける教材と課外資源との双方向性と関連性を同時に体現できず、それに、従来の電子カバンはまだ外部ネットワーク又はサーバーの資源を便利で有効的に取得できる機能接続を有しておらず、電子カバンの資源取得の制約性に繋がる。
【発明の概要】
【０００３】
本発明は、従来技術の欠点を克服し、長時間読んでも目がそんなに疲れない電子ペーパースクリーンとマルチメディアを表示できる液晶スクリーンという二つの表示スクリーンに対する支持を実現するとともに、外部ネットワーク又はサーバーの資源を便利で有効的に取得できる機能を有し、双方向性が強く、資源取得が便利である特徴を有するデュアルディスプレイタッチパネルモニタデュアルコア（ＣＰＵ）電子カバンを提供することを目的とする。
【０００４】
前記目的を実現する技術方案は以下の通りである。
【０００５】
本発明のデュアルディスプレイタッチパネルモニタデュアルコア（ＣＰＵ）電子カバンは、中央処理装置と、表示モジュールと、前記表示モジュールにより前記中央処理装置と通信接続されている二つのディスプレイと、それぞれ前記中央処理装置と通信接続されているＩ／Ｏインタフェースと記憶手段と、を備え、前記表示モジュールと前記中央処理装置はいずれも二つあり、且つ、各前記ディスプレイはそれぞれ一つの前記表示モジュールにより一つの前記中央処理装置と通信接続されており、二つの前記中央処理装置の間は直接に通信接続されており、二つの前記ディスプレイはそれぞれ電子ペーパーと液晶スクリーンである。
【０００６】
前記電子ペーパー（ＥＰＤ）は、エレクトロニックインク（Ｅｉｎｋ）電気泳動ディスプレイ技術を採用し、前記液晶スクリーンは、薄膜トランジスタディスプレイ（ＴＦＴ）又は有機エレクトロルミネッセンスディスプレイ（ＯＬＥＤ）を採用する。
【０００７】
それぞれ前記電子ペーパーと前記液晶スクリーンの表面に固定されるとともに、対応する前記中央処理装置とそれぞれ通信接続されている二つのタッチパネルモニタを更に備える。
【０００８】
外部クラウドサーバーと通信接続されているとともに、二つの前記中央処理装置と通信接続されているネットワーク装置を更に備える。
【０００９】
前記ネットワーク装置は内部ローカルエリアネットワークサーバーに通信接続されているとともに、前記内部ローカルエリアネットワークサーバーにより外部クラウドサーバーと通信接続されている。
【００１０】
二つの前記中央処理装置と通信接続されている音声データ通信モジュールを更に備える。
【００１１】
二つの前記中央処理装置と通信接続されているカメラを更に備える。
【００１２】
二つの前記中央処理装置と通信接続されているネットワーク電話モジュールを更に備える。
【００１３】
本発明は、以上の技術方案を採用することにより、以下の有益な効果を有する。
【００１４】
二つの表示モジュールの採用により、二種類のディスプレイの同時採用に対する支持を実現し、互いに通信接続されている二つの中央処理装置の採用により、異なる処理により異なるディスプレイで表示任務を行う時に生じる可能性がある衝突を防止し、電子カバンの運行及びディスプレイの表示をより流暢にする。電子ペーパーと液晶スクリーンの同時採用により、ユーザーは、電子ペーパースクリーンにより長時間読む時に目が疲れず、目が保護される通常の読書をすると同時に、傍らの液晶スクリーンにより読んでいる内容と関係するマルチメディア資料を見ることができ、これにより、ユーザーは今読んでいる情報を多角度から了解でき、今読んでいる内容をより良く理解できる。また、タッチパネルモニタの使用により、ユーザーは、直接にタッチにより電子カバンの機能に対する操作を実現することができ、これにより、ユーザーが電子カバンに対する操作をより簡便にし、それに、タッチパネルモニタの表面に直接に書くことにより筆記の記録又は今読んでいる内容に対する直接な修正を実現することができ、電子カバンとユーザーの双方向性が向上した。また、ネットワーク装置の採用により、ユーザーは、外部ネットワーク又はサーバーの資源を便利で有効的に取得できる。
【図面の簡単な説明】
【００１５】
【図１】本発明のデュアルディスプレイタッチパネルモニタデュアルコア（ＣＰＵ）電子カバンの構造ブロック図である。
【図２】本発明のデュアルディスプレイタッチパネルモニタデュアルコア（ＣＰＵ）電子カバンの外部構造模式図である。
【発明を実施するための形態】
【００１６】
以下、具体的な実施例を結合して本発明を更に説明する。
【００１７】
図１を参照し、本発明のデュアルディスプレイタッチパネルモニタデュアルコア（ＣＰＵ）電子カバン１は、中央処理装置１１と、表示モジュール12と、表示モジュール１２により中央処理装置１１と通信接続されている二つのディスプレイ１３と、それぞれ中央処理装置１１と通信接続されているＩ／Ｏインタフェース１４と記憶手段１５と、を備え、表示モジュール１２と中央処理装置１１はいずれも二つあり、且つ、各ディスプレイ１３はそれぞれ一つの表示モジュール１２により一つの中央処理装置１１と通信接続されており、二つの中央処理装置１１の間は直接に通信接続されている。二つの表示モジュール１２の採用により、二種類のディスプレイ１３の同時採用に対する支持を実現し、互いに通信接続されている二つの中央処理装置１１の採用により、異なる処理により異なるディスプレイ１３で表示任務を行う時に生じる可能性がある衝突を防止し、電子カバンの運行及びディスプレイ１３の表示をより流暢にする。
【００１８】
二つの中央処理装置１１と通信接続されているネットワーク装置１７を更に備え、ネットワーク装置１７は、直接に有線又は無線の方式で外部クラウドサーバー２と通信接続されており、或いは、有線又は無線の方式で内部ローカルエリアネットワークサーバー３に通信接続され、更に内部ローカルエリアネットワークサーバー３により外部クラウドサーバー２と通信接続されている。ネットワーク装置１７の採用により、ユーザーは、外部ネットワーク又はサーバーの資源を便利で有効的に取得でき、ユーザーが取得可能な資源の範囲を拡大し、ユーザーの読書の便利性を向上させた。
【００１９】
また、中央処理装置１１と通信接続されている音声データ通信モジュール１８と、カメラ１９と、ネットワーク電話モジュール１０（ＶＯＩＰ）とを更に備え、電子カバンの機能の多様性を更に実現した。
【００２０】
中央処理装置１１は、ネットワーク装置１７、記憶手段１５、Ｉ／Ｏインタフェース１４、ネットワーク電話モジュール１０、カメラ１９及び音声データ通信モジュール１８と有線又は無線の方式で通信接続されている。
【００２１】
図２を参照し、二つのディスプレイ１３はそれぞれ電子ペーパー１３１と液晶スクリーン１３２である。電子ペーパー131はＥｉｎｋ電気泳動ディスプレイ（ＥＰＤ）を採用し、液晶スクリーン１３２は薄膜トランジスタ（ＴＦＴ）ディスプレイ又は有機エレクトロルミネッセンス（ＯＬＥＤ）ディスプレイを採用する。電子ペーパー１３１と液晶スクリーン１３２の同時採用により、ユーザーは、電子ペーパー１３１により目が保護される通常の読書を行うと同時に、傍らの液晶スクリーン１３２により読んでいる内容と関係するマルチメディア資料を見ることができ、これにより、ユーザーは今読んでいる情報を多角度から了解でき、今読んでいる内容をより良く理解できる。
【００２２】
それぞれ電子ペーパー１３１と液晶スクリーン１３２の表面に固定されるとともに、対応する中央処理装置１１とそれぞれ通信接続されている二つのタッチパネルモニタ１６を更に備える。タッチパネルモニタ１４の使用により、ユーザーは、直接にタッチにより電子カバンの機能に対する操作を実現することができ、これにより、ユーザーが電子カバンに対する操作をより簡便にし、それに、タッチパネルモニタ１４の表面に直接に書くことにより筆記の記録又は今読んでいる内容に対する直接な修正を実現することができ、電子カバンとユーザーの双方向性が向上した。
【００２３】
以上、添付図面及び実施例を結合して本発明を詳細に説明したが、本発明の属する技術の分野における普通の技術者は前記説明に基づいて本発明に対して種々の変化を行うことができる。したがって、実施例におけるいくつかの細部は本発明に対して限定するものではなく、本発明は、添付される特許請求の範囲に限定される範囲を本発明の請求の範囲とする。
【図１】
2015504201.tif 000003
【図２】
2015504201.tif 000004
【国際調査報告】
2015504201.tif 000005
2015504201.tif 000006
2015504201.tif 000007
2015504201.tif 000008
2015504201.tif 000009
2015504201.tif 000010
2015504201.tif 000011
2015504201.tif 000012